(57)【要約】下および上カミソリ（３、４）が各々刃部（５、６）を有する電気バリカン（２）のための髪刈取付具（１）。上カミソリ（４）は刃部（５、６）に対して平行に振動でき、髪刈取付具（１）は下カミソリ（３）の上に装着可能に形成されている。髪刈取付具（１）は、下カミソリ（３）の刃部（５）の刃（８）からの伸長（Ｌ）を形成する櫛歯列（７）を有する。櫛歯列（７）は、毛髪（１０）の捕捉および誘導のための、自由端（９）への円錐形の拡大（Ｖ）を有する櫛歯の隙間（１１）を有する。櫛歯の隙間（１１）はカミソリ（３、４）側で、少なくとも１本の毛髪の直径の幅（Ｂ）を有し、毛髪（１０）をカミソリ（３、４）へ誘導する。これにより、毛髪（１０）は次々に同時に切髪される代わりに、かかる簡単な装置により、縞のない、細かく段階づけられた毛髪（１０）の髪刈が達成される【選択図】図５
2007500528.tif 000002
【特許請求の範囲】
【請求項１】
各々刃部（５、６）を有する下および上カミソリ（３、４）を有し、前記上カミソリ（４）が前記刃部（５、６）に対して平行に振動できる電気バリカン（２）のための髪刈取付具（１）であって、前記髪刈取付具（１）が前記下カミソリ（３）の上に装着可能に形成され、
前記髪刈取付具（１）が、前記下カミソリ（３）の前記刃部（５）の刃（８）からの伸長（Ｌ）を形成する櫛歯列（７）を有すること、前記櫛歯列（７）が櫛歯の隙間（１１）を有すること、前記櫛歯の隙間（１１）が、毛髪（１０）の捕捉および誘導のための、自由端（９）への円錐形の拡大（Ｖ）を有すること、および前記櫛歯の隙間（１１）が、前記カミソリ（３、４）の側で、少なくとも１本の毛髪の直径の幅を有して、毛髪（１０）を前記カミソリ（３、４）へ誘導すること、
に特徴づけられる髪刈取付具（１）。
【請求項２】
前記櫛歯の隙間（１１）が０．２〜１．０ｍｍの幅（Ｂ）を有することに特徴づけられる、請求項１に記載の髪刈取付具。
【請求項３】
前記櫛歯の隙間（１１）が約０．３ｍｍの幅（Ｂ）を有することに特徴づけられる、請求項１に記載の髪刈取付具。
【請求項４】
前記櫛歯の隙間（１１）が１〜２ｍｍの高さ（Ｈ１）を有することに特徴づけられる、請求項１に記載の髪刈取付具。
【請求項５】
前記櫛歯の隙間（１１）が約１．５ｍｍの高さ（Ｈ１）を有することに特徴づけられる、請求項１に記載の髪刈取付具。
【請求項６】
前記円錐形の拡大（Ｖ）が約３ｍｍの高さ（Ｈ２）を有することに特徴づけられる、請求項１に記載の髪刈取付具。
【請求項７】
前記円錐形の拡大（Ｖ）が自由端（９）において約２ｍｍの幅（Ｂ１）を有することに特徴づけられる、請求項１に記載の髪刈取付具。
【請求項８】
前記櫛歯列（７）が、３〜８ｍｍの間隔(Ａ)で配置された櫛歯（１２）を有することに特徴づけられる、請求項１に記載の髪刈取付具。
【請求項９】
前記櫛歯列（７）が、約４ｍｍの間隔(Ａ)で配置された櫛歯（１２）を有することに特徴づけられる、請求項１に記載の髪刈取付具。
【請求項１０】
別異の髪刈特性を有する別個の髪刈取付具（１）から成る少なくとも１セットのシステムにより特徴づけられる、請求項１に記載の髪刈取付具。
【請求項１１】
髪刈取付具により異なるが交互に同じ幅（Ｂ）の櫛歯の隙間（１１）を有する複数の髪刈取付具（１）から成るセットを意図するものである、請求項１０に記載の髪刈取付具。
【請求項１２】
交互に異なる幅（Ｂ）の櫛歯の隙間（１１）を有する複数の髪刈取付具（１）から成るセットを意図するものである、請求項１０に記載の髪刈取付具。
【請求項１３】
異数の櫛歯（１２）を有する複数の髪刈取付具（１）から成るセットを意図するものである、請求項１０に記載の髪刈取付具。
【発明の詳細な説明】
【技術分野】
【０００１】
本発明は、請求項１の上位概念に係る髪刈取付具に関する。
【背景技術】
【０００２】
形成型髪刈取付具の一種が、例えば米国特許出願第１９０８３８５号より公知である。ここでは、相対幅の櫛歯の隙間により、同時に多数の毛髪が切り落とされ、これは、縞の付いた髪刈を生じるために不都合である。
【発明の開示】
【発明が解決しようとする課題】
【０００３】
それゆえ、本発明は、簡単な措置により、縞のない、細かく段階付けられた髪刈を達成する同種の髪刈取付具を作製することを課題とする。
【課題を解決するための手段】
【０００４】
かかる課題は、請求項１の特徴的な部分の特性により解決される。発明のより広範な展開が、従属請求項から可能である。
本発明を実施例に従い、より詳しく記載する。
【発明を実施するための最良の形態】
【０００５】
図１〜４は図５による細部描写と併せて、各々刃部５、６を有する下および上カミソリ３、４を有し、かつ例えば、縦方向収納進路(Haarlaengeneinstelleinrichtung)１４を集積した再解離可能なカミソリ頭部(wieder loesbarer Messerkopf)１３から形成される電気バリカン２（図６）のための、髪刈取付具１を示す。上カミソリ４は刃部５、６に対して平行に振動でき、髪刈取付具１はカミソリ３の上に、押しずらせて開放可能な２つの対向するホルダーレール(Halteschienen)１５、１６により形成される。櫛歯列７は、下端に、下カミソリ３の自由端１９と境を接するストッパー (Anschlaegen)１７を備え、これにより髪刈取付具１は下カミソリ３と固定される。髪刈取付具１は櫛歯列７で形成され、櫛歯列７は、下カミソリ３の刃部５の刃８からの伸長Ｌを形成する。櫛歯列７は、毛髪１０の捕捉および誘導のための、自由端９への円錐形の拡大Ｖを有する櫛歯の隙間１１を備える。櫛歯の隙間１１は、カミソリ３、４側で、少なくとも１本の毛髪の直径の幅Ｂを有して、毛髪１０をカミソリ３、４へ誘導する。これにより、毛髪１０は次々に同時に切断される代わりに、かかる簡単な措置により、縞のない、段階づけられた髪刈が達成される。髪刈取付具１は、合成物質から製造されることが好ましい。
【０００６】
図２は、図１に記載の髪刈取付具１の側面図を示す。
図３は、図１に記載の髪刈取付具１の背面図を示す。
図４は、図１に記載の髪刈取付具１をよりよく直観させるための、一つの斜視図を示す。
図５は、図１に記載の髪刈取付具１を、図１に記載のＸの拡大描写にて示す。櫛歯の隙間１１は、０．２〜１．０ｍｍの幅Ｂを有し、好ましくは約０．３ｍｍの幅Ｂを有する。櫛歯の隙間１１は、１〜２ｍｍの高さＨ１、好ましくは約１．５ｍｍの高さＨ１を有する。円錐形の拡大Ｖは、約３ｍｍの高さＨ２を有する。円錐形の拡大Ｖは、自由端９において約２ｍｍの幅Ｂ１を有する。
櫛歯列７は、３〜８ｍｍの間隔Ａ、好ましくは約４ｍｍの間隔Ａで配置される櫛歯１２を備える。
【０００７】
図６は、毛髪の房１８の髪刈中の、髪刈取付具１を装着したバリカン２の側面図を示す。カミソリ頭部１３を有するカミソリ２のより広範な詳細が、先登録ＥＰ０８５６３８６Ｂ１から可能である。
【０００８】
より広範な構成として、髪刈取付具１を、例えば別異の髪刈特性を有する３つの別個の髪刈取付具１から成る種々のセットのシステムにより拡大することが意図される。これにより、特定の目的に合わせた髪の切断が実現でき、髪の切断に関する理髪師の創造性が支持される。
例えば、髪刈取付具により異なるが交互に同じ幅Ｂの櫛歯の隙間１１を有する３つの髪刈取付具１から成るセット−例えば、０．２ｍｍの第一の幅Ｂを有する第一の髪刈取付具１；０．５ｍｍの第二の幅Ｂを有する第二の髪刈取付具１；および１．０ｍｍの第三の幅Ｂを有する第三の髪刈取付具１−が意図される。取り付けられる各髪刈取付具１により、１刃を経る過程で、より多量ないしより少量の毛髪が刈られる。
【０００９】
例えば、交互に異なる幅Ｂの櫛歯の隙間１１を有する３つの髪刈取付具１から成るセット−例えば、０．２ｍｍの第一の幅Ｂと０．４ｍｍの第二の幅Ｂを交互に有する第一の髪刈取付具１；０．３ｍｍの第三の幅Ｂと０．６ｍｍの第四の幅Ｂを交互に有する第二の髪刈取付具１；および０．４ｍｍの第五の幅Ｂと０．８ｍｍの第六の幅Ｂを交互に有する第三の髪刈取付具１−が意図される。各髪刈取付具１はこれにより、別異の髪刈特性を生じる。
【００１０】
例えば、異数の櫛歯１２を有する３つの髪刈取付具１から成るセット−例えば、３ｍｍの櫛歯間隔Ａを有する第一の髪刈取付具１；５ｍｍの櫛歯間隔Ａを有する第二の髪刈取付具１；８ｍｍの櫛歯間隔Ａを有する第三の髪刈取付具１のセット−が意図される。各髪刈取付具１はこれにより、別異の髪刈特性を生じる。
【図面の簡単な説明】
【００１１】
【図１】図１は、髪刈取付具を図示したものである。
【図２】図２は、図１に記載の髪刈取付具の側面図である。
【図３】図３は、図１に記載の髪刈取付具の背面図である。
【図４】図４は、図１に記載の髪刈取付具の斜視図である。
【図５】図５は、図１に記載の髪刈取付具の、図１に記載のＸの拡大描写である。
【図６】図６は、髪刈取付具を装着したバリカンの側面図である。
【符号の説明】
【００１２】
１  髪刈取付具
２  バリカン
３  下カミソリ
４  上カミソリ
５  下刃部
６  上刃部
７  櫛歯列
８  刃／下カミソリ３
９  自由端／櫛歯の隙間１１
１０  毛髪
１１  櫛歯の隙間
１２  櫛歯
１３  カミソリ頭部
１４  縦方向収納進路
１５  ホルダーレール
１６  ホルダーレール
１７  ストッパー
１８  毛髪の房
１９  自由端／下カミソリ３
Ａ  間隔
Ｂ  幅／櫛歯の隙間１１
Ｂ１  幅／拡大Ｖ
Ｈ１  隙間の高さ
Ｈ２  拡大の高さ
Ｌ  伸長
Ｖ  円錐形の拡大
【図１】
2007500528.tif 000003
【図２】
2007500528.tif 000004
【図３】
2007500528.tif 000005
【図４】
2007500528.tif 000006
【図５】
2007500528.tif 000007
【図６】
2007500528.tif 000008
【国際調査報告】
2007500528.tif 000009
2007500528.tif 000010
2007500528.tif 000011
2007500528.tif 000012
2007500528.tif 000013
2007500528.tif 000014